(57)【特許請求の範囲】
【請求項１】
梁が、その内部に内蔵された金物によって、柱または梁と接合されるとともに、この梁上に床板が釘固定されてなる躯体構造の建物において、釘の固定位置を決定する治具であって、
床板上に位置決めする位置決め部と、この床板上に位置決めした状態で、床板下の梁に内蔵された金物と干渉しない位置に穿孔された位置決定孔とを具備したことを特徴とする釘固定位置の決定治具。
【請求項２】
位置決め部は、床板上に突出した柱または床板同士の目地の少なくとも何れか一方を利用するようになされた請求項１記載の釘固定位置の決定治具。
【請求項３】
矩形の透明板状に形成されてなり、長手方向に沿って中心線が設けられ、
一方の短辺および前記中心線と床板の目地とを合致させることで位置決めが行われるようになされるとともに、
床板上に突出した柱と他方の短辺とを当接させ、前記中心線と床板の目地とを合致させることで位置決めが行われるようになされた請求項２記載の釘固定位置の決定治具。
【請求項４】
梁が、その内部に内蔵された金物によって、柱または梁と接合されるとともに、この梁上に床板が釘固定されてなる躯体構造の建物において、床板上の釘固定位置を決定する方法であって、
床板下の梁に内蔵された金物と干渉しない位置に位置決定孔が穿孔されてなる治具を、床板上に位置決めして釘固定位置を決定することを特徴とする釘固定位置の決定方法。
【発明の詳細な説明】
【０００１】
【発明の属する技術分野】
本発明は、木造住宅において梁に床板を釘固定する際の釘固定位置の決定治具とその方法に関するものである。
【０００２】
【従来の技術】
従来より、木造住宅において、梁上に敷設した床板は、釘固定によって梁に固定される。
【０００３】
この場合、床板は、床板同士の継ぎ目が梁上に載るようにして敷設されるため、床板の周縁部に適宜の間隔で釘を固定することで、梁上に床板を固定することが行われていた。
【０００４】
【発明が解決しようとする課題】
しかし、上記従来の釘の固定方法の場合、床板を梁に釘固定することができるだけで、梁の決められた位置に正確に釘を打ち付けるといったことができない。
【０００５】
したがって、梁に内蔵された金物によって柱と梁とが接合されてなる躯体構造の場合、梁の内部に金物があるため、釘の打ち付け位置によっては、釘と金物とが干渉し合い床鳴りの原因となってしまうといった不都合を生じることとなる。
【０００６】
そのため、床板上に突出した柱の位置から床板下の梁の位置やその梁に内蔵された金物の位置などを、その都度定規で計って釘の固定位置を決定することが考えられるが、この場合、作業が煩わしくなってしまうこととなる。
【０００７】
本発明は、係る実情に鑑みてなされたものであって、簡単かつ正確に釘固定位置を決定する治具および方法を提供することを目的としている。
【０００８】
【課題を解決するための手段】
上記課題を解決するための本発明の釘固定位置の決定治具は、梁が、その内部に内蔵された金物によって、柱または梁と接合されるとともに、この梁上に床板が釘固定されてなる躯体構造の建物において、釘の固定位置を決定する治具であって、床板上に位置決めする位置決め部と、この床板上に位置決めした状態で、床板下の梁に内蔵された金物と干渉しない位置に穿孔された位置決定孔とを具備したものである。
【０００９】
また、位置決め部は、床板上に突出した柱または床板同士の目地の少なくとも何れか一方を利用するようになされたものである。
【００１０】
さらに、矩形の透明板状に形成されてなり、長手方向に沿って中心線が設けられ、一方の短辺および前記中心線と床板の目地とを合致させることで位置決めが行われるようになされるとともに、床板上に突出した柱と他方の短辺とを当接させ、前記中心線と床板の目地とを合致させることで位置決めが行われるようになされたものである。
【００１１】
また、上記課題を解決するための本発明の釘固定位置の決定方法は、梁が、その内部に内蔵された金物によって、柱または梁と接合されるとともに、この梁上に床板が釘固定されてなる躯体構造の建物において、床板上の釘固定位置を決定する方法であって、床板下の梁に内蔵された金物と干渉しない位置に位置決定孔が穿孔されてなる治具を、床板上に位置決めして釘固定位置を決定するものである。
【００１２】
床板上に治具を設け、この治具を床板上に突出した柱に当接したり、床板同士の目地に沿って位置決めする。この状態で、この治具に穿孔された位置決定孔から床板にマーキングし、このマーキング位置に釘を固定する。この際、治具は、位置決め状態で床板下の梁に内蔵された金物と干渉しない位置に位置決定孔を穿孔しているので、釘は、梁に内蔵された金物との干渉が防止されることとなる。
【００１３】
【発明の実施の形態】
以下、本発明の実施の形態を図面を参照して説明する。
【００１４】
図１は釘固定位置を決めるプレート１を示し、図２は同プレート１による釘２の固定方法が行われる木造住宅の躯体３を示し、図３は同プレート１による釘２の固定方法を示している。
【００１５】
すなわち、このプレート１は、床板４上の柱５に当接した状態で床板４下の梁６に内蔵された金物７と干渉しない位置に位置決定孔１０が穿孔されている。
【００１６】
躯体３は、柱５と梁６とを金物７で接合するようになされている。柱５は、金物７の取付位置にボルト挿通孔５１が設けられている。梁６は、その端面に、金物７の差し込みスリット６１が設けられ、端部側面に、ボルト挿通孔６２、ドリフトピン挿通孔６３が設けられている。金物７は、溝形状に形成されており、柱５のボルト挿通孔５１に挿通されるボルトナット８によって、この柱５を挟持するようにして固定される。梁６は、その端面のスリット６１に金物７を差し込むようにして柱５に当接され、端部側面のボルト挿通孔６２およびドリフトピン挿通孔６３に設けられるボルトナット８およびドリフトピン９によって金物７と固定される。このようにして構成される躯体３の梁６の上には、床板４が敷設される。
【００１７】
プレート１は、柱５に等しい１２０ｍｍの幅Ｗで１６６ｍｍの長さＬの矩形状に形成された透明のプラスチック板によって形成されている。プレート１は、長さＬ方向に沿って中心線１１が設けられており、この中心線１１を梁６上の床板４の目地４１に沿わせることで、幅Ｗ方向の位置決めができるようになされている。プレート１は、一方の短辺が柱５の当接辺１２となされ、他方の短辺が床板４の目地位置決め辺１３となされている。当接辺１２から２３ｍｍ、中心線１１から４０ｍｍ隔てた位置には、一対の位置決定孔１０が設けられている。また、目地位置決め辺１３から８３ｍｍ、中心線１１から４０ｍｍ隔てた位置にも、一対の位置決定孔１０が設けられている。
【００１８】
このプレート１は、当接辺１２を柱５に当接し、中心線１１を梁６上の床板４の目地４１に沿わせることで、金物７およびホルトナット８と干渉しない位置に位置決定孔１０が位置することとなる。
【００１９】
したがって、図２に示すように、柱５周縁の梁６上に敷設した床板４を釘２で固定する際には、図３（ａ）に示すように、プレート１の当接辺１２を柱５に当接し、中心線１１を床板４の目地４１に沿わせてプレート１の位置決めをした後、図３（ｂ）に示すように、位置決定孔１０の位置にマーキング２０をする。そして、図３（ｃ）に示すように、プレート１を外した後、マーキング２０の位置に釘２を打ち込めば、釘２は、梁６に内蔵された金物７やボルトナット８と干渉することなく固定されることとなる。
【００２０】
また、図４に示すように、柱５が通っていない梁６上に敷設した床板４を釘２で固定する際には、図５（ａ）に示すように、プレート１の目地位置決め辺１３および中心線１１を床板４の目地４１に沿わせてプレート１の位置決めをした後、図５（ｂ）に示すように、位置決定孔１０の位置にマーキング２０をする。そして、図５（ｃ）に示すように、プレート１を外した後、マーキング２０の位置に釘２を打ち込めば、釘２は、梁６に内蔵された金物７やボルトナット８と干渉することなく固定されることとなる。
【００２１】
なお、本実施の形態において、プレート１は、矩形状となされているが、図６に示すように、柱５の周囲三辺を取り囲むように切欠部１４が設けられ、この切欠部１４に柱５を納めることで床板４上の位置決めを行うことができるようになされたものであっても良い。また、このプレート１には、柱５を直行するように二本の中心線１１が設けられている。
【００２２】
【発明の効果】
以上述べたように、本発明によると、梁に内蔵された金物と干渉して床鳴りが発生するような位置に釘を固定してしまうといったことを防止することができる。しかも、単に治具を床板上に位置決めするといった簡単な作業で、釘の固定位置の決定を簡単かつ正確なものにして作業性の向上を図ることができる。
【図面の簡単な説明】
【図１】本発明に係る釘固定位置の決定治具を示す平面図である。
【図２】本発明が適用される木造住宅の躯体を示す部分斜視図である。
【図３】（ａ）ないし（ｃ）は図２の躯体における釘固定位置の決定方法を説明する工程図である。
【図４】本発明が適用される木造住宅の他の躯体を示す部分斜視図である。
【図５】（ａ）ないし（ｃ）は、図４の躯体における釘固定位置の決定方法を説明する工程図である。
【図６】本発明に係る釘固定位置の決定治具の他の実施の形態を示す平面図である。
【符号の説明】
１  プレート（決定治具）
１０  位置決定孔
１１  中心線（位置決め部）
１２  当接辺（位置決め部）
１３  目地位置決め辺（位置決め部）
２  釘
３  躯体
４  床板
４１  目地
５  柱
６  梁
７  金物
【図１】
0003833434.tif 000002
【図２】
0003833434.tif 000003
【図３】
0003833434.tif 000004
【図４】
0003833434.tif 000005
【図５】
0003833434.tif 000006
【図６】
0003833434.tif 000007